(57)【特許請求の範囲】
【請求項１】
逆止弁を内部に備えた逆止弁ユニットを、既設給水配管の途中において交換可能に取り付ける逆止弁の取付構造であって、
上記配管に対して着脱可能な収容管の内部に前記逆止弁ユニットの一方側を収容すると共に、前記逆止弁ユニットの他方側に固定管を嵌着して該固定管を前記収容管に当接させ、前記固定管との接合部外周側面に形成される前記収容管の第一の溝と、前記収容管との接合部外周側面に形成される前記固定管の第二の溝からなる二重の環状溝に対してＣ型リング部材を環装して前記固定管及び前記収容管を接合状態で固定して、前記逆止弁ユニットを前記収容管及び前記固定管の内部に交換可能に収容・固定することを特徴とする逆止弁取付構造。
【請求項２】
請求項１記載の逆止弁取付構造を、既設給水配管途中に設置される止水栓の伸縮ユニオンに設けたことを特徴とする逆止弁取付構造。
【請求項３】
請求項１記載の逆止弁取付構造を、既設給水配管途中に設置される配管継手に設けたことを特徴とする逆止弁取付構造。
【発明の詳細な説明】
【技術分野】
【０００１】
本発明は、逆止弁を内部に備えた逆止弁ユニットを、既設給水配管の途中において交換可能に取り付ける逆止弁取付構造に関する。
【背景技術】
【０００２】
給水配管において水の逆流を防止することが重要視されるようになってきたため、例えば逆流防止機能を具備していない既設給水配管に対して新たに逆止弁を取り付けることが行われている。
【０００３】
また、予め逆止弁が取り付けられている給水配管であっても、経年変化等によって逆流防止機能が低下するため、一定期間毎に逆止弁のメンテナンスや交換作業を行うことが必要である。
【０００４】
従来、既設配管中に設けられた止水栓が伸縮ユニオンを備えており、配管に対して比較的着脱のしやすい構造であるため、該止水栓を逆止弁付き止水栓と交換することにより、逆流防止機能を付与している。
【発明の開示】
【発明が解決しようとする課題】
【０００５】
ところで、既設給水配管に対する逆止弁の取付作業や交換作業を行う際には、なるべく簡単な作業とすることが望まれると共に、逆止弁の交換時にはなるべく交換対象となる部品を少なくすることが望まれる。
【０００６】
しかし、従来の逆止弁の取付構造は、止水栓若しくは伸縮ユニオンの内部に金属製の専用止め具を使用して逆止弁を封止する構造であるため、逆止弁だけを取り出すことが難しいという問題があった。そのため、逆止弁を交換する際には止水栓を逆止弁内蔵タイプのものに交換することになり、交換時の部品コストは逆止弁そのものの部品コストよりも高くなる。また従来、逆止弁だけを取り出してメンテナンスや交換作業を行う場合には、専用工具を使用して専用止め具を外す作業が必要になるが、その場合でも逆止弁を破損させずに取り出すことは極めて難しく、作業効率が著しく低下するという問題があった。更に、専用工具を持参していない場合には、逆止弁だけを取り出すこともできなかった。
【０００７】
本発明は、上記従来の問題点を解決することを目的としてなされたものであり、既設給水配管の途中に対して簡単な作業で逆止弁を取り付けることができると共に、メンテナンスや交換作業時には専用工具を用いることなく簡単に逆止弁の取り出しを行える逆止弁の取付構造を提供するものである。
【課題を解決するための手段】
【０００８】
上記目的を達成するため、本発明が解決手段として採用したところは、逆止弁を内部に備えた逆止弁ユニットを、既設給水配管の途中において交換可能に取り付ける逆止弁の取付構造であって、上記配管に対して着脱可能な収容管の内部に前記逆止弁ユニットの一方側を収容すると共に、前記逆止弁ユニットの他方側に固定管を冠着して該固定管を前記収容管に当接させ、前記固定管との接合部外周側面に形成される前記収容管の第一の溝と、前記収容管との接合部外周側面に形成される前記固定管の第二の溝からなる二重の環状溝に対してＣ型リング部材を環装して前記固定管及び前記収容管を接合状態で固定して、前記逆止弁ユニットを前記収容管及び前記固定管の内部に交換可能に収容・固定する構造とした点にある。
【０００９】
更に、上記逆止弁取付構造は、既設給水配管途中に設置される止水栓の伸縮ユニオンに設けることが好ましい。
【００１０】
また、上記逆止弁取付構造は、既設給水配管途中に設置される配管継手に設けることも好ましい。
【発明の効果】
【００１１】
本発明が解決手段として採用した逆止弁取付構造によれば、Ｃ型リング部材の端部を手操作で拡げることにより、二重の環状溝に対してＣ型リング部材を環装したり、又はその環装状態を解除することができ、それによって固定管と収容管とを接合状態で固定したり、又はその固定状態を解除できるので、収容管と固定管の内側に簡単に逆止弁ユニットを取り付けることができると共に、収容管と固定管の内側から簡単に逆止弁ユニットを取り出すことができる。そして収容管は配管に対して着脱可能であることから、配管の途中に対して簡単な作業で逆止弁を取り付けることができると共に、メンテナンスや交換作業時には専用工具を用いることなく簡単に逆止弁の取り出しを行える。
【００１２】
そして上述のような逆止弁取付構造を、配管途中に設置される止水栓の伸縮ユニオンに設けることにより、極めて簡単な作業で配管途中に逆止弁を取り付けることができる。よって、逆流防止機能を具備していない既設給水配管に対して簡単な工事を行うだけで、効率的に逆流防止機能を付設できるようになっている。
【００１３】
また上述の逆止弁取付構造を、配管途中に設置される配管継手に設けることにより、極めて簡単な作業で配管途中に逆止弁を取り付けることができる。また、この場合には、止水栓等の位置に関係なく、任意の配管部分に逆止弁を取り付けることができる。よって、この場合にも、逆流防止機能を具備していない既設給水配管に対して簡単な工事を行うだけで、効率的に逆流防止機能を付設できるようになっている。
【発明を実施するための最良の形態】
【００１４】
以下、図面に基づいて本発明の好ましい実施形態を詳述する。尚、以下においては、一例として、給水配管途中に設けられる止水栓に対して逆止弁を設ける構造、より詳しくは配管に対して止水栓を着脱可能とするために該止水栓に連結して設けられる伸縮ユニオン（伸縮管）の内部に逆止弁（逆止弁ユニット）を取り付けるようにした構造を例示する。
【００１５】
図１は本発明に係る逆止弁取付構造の構成態様を示す図である。この態様においては、止水栓１００の一方側に伸縮ユニオン（伸縮管）１が着脱可能に連結されており、該伸縮ユニオン１の内部に、円筒状の逆止弁ユニット３が収容された状態で固定される。尚、逆止弁ユニット３は、逆止弁を内部に備えており、例えば止水栓１００の内部を図中右方向に流れる場合、逆止弁が右方向に移動して逆止弁ユニット３の左端開口部を開放し、水流を下流側に導く。それに対して、水流が下流側から左方向（上流側）に流れる場合には、逆止弁が左方向に移動して左端開口部を閉塞し、上流側への逆流を防止する。
【００１６】
図２及び図３は伸縮ユニオン１を示す図であり、図２は伸縮ユニオン１の内部に逆止弁ユニットを収容して組み立てた状態を示しており、図３は伸縮ユニオン１を分解した状態を示している。図２及び図３に示すように、伸縮ユニオン１は、逆止弁を内部に備えた逆止弁ユニット３の一方側端部を収容する収容管２と、逆止弁ユニット３の他方側端部に冠着されて逆止弁ユニット３を固定する固定管４と、逆止弁ユニット３を収容した状態で収容管２と固定管４とを固定する樹脂製のリング部材５と、止水栓１００と連結するための連結金具１３と、収容管２に対して摺動可能に設けられた摺動管１６と、該摺動管１６を下流側の配管に連結するための連結金具１８とを備えて構成される。
【００１７】
伸縮ユニオン１を組み立てる際には、例えば図３（ａ）に示すように、逆止弁ユニット３の端部を固定管４の内側に嵌挿して、逆止弁ユニット３の端部３ａが固定管４の内壁４ｂに当接した状態とする。これにより、固定管４が逆止弁ユニット３に冠着された状態となる。そして図３（ｂ）に示すように、固定管４から逆止弁ユニット３が露出する部分を収容管２の内側に収容し、固定管４の端部と収容管２の端部とが互いに当接する状態とする。これにより、逆止弁ユニット３が収容管２及び固定管４の内側に収容された状態となる。尚、逆止弁ユニット３を収容管２及び固定管４の内側に収容する手順は、上記と逆の手順を採用してもよく、例えば逆止弁ユニット３を先に収容管２の内側に収容し、逆止弁ユニット３の収容管２から露出した部分に対して固定管４を冠着するようにしてもよい。
【００１８】
図３に示す如く、収容管２において逆止弁ユニット３の導入開口を形成し、固定管４と接合する開口端部の外周側面には、第一の環状溝２ａが形成されている。また固定管４において逆止弁ユニット３の導入開口を形成し、収容管２と接合する開口端部の外周側面には、第一の環状溝２ａと同様の深さ及び幅を有する第二の環状溝４ａが形成されている。そして逆止弁ユニット３を収容管２及び固定管４の内側に収容して収容管２及び固定管４の端部が互いに当接した状態のとき、第一の環状溝２ａと第二の環状溝４ａは互いに近接した二重の環状溝を形成する。
【００１９】
リング部材５は、図５に示す如く、内面に溝５１が形成された断面コ字状のＣ型リング部材である。リング部材５の内面に形成される溝５１は第一及び第二の環状溝２ａ，４ａとほぼ同じ深さに形成され、その溝幅は収容管２及び固定管４が互いに当接して形成される二重の環状溝における第一の溝２ａ及び第二の溝４ａの幅にほぼ一致するように形成される。また、リング部材５は樹脂材料で形成されており、作業者が指で操作すれば、リング端部５２，５３が互いに離れる方向に容易に拡げられ、リング径を若干大きくできるようになっている。そして作業者がリング部材５から指を離せば、リング部材５は元のＣ型リング形状に復帰する。
【００２０】
尚、リング部材５は、上述の如く、作業者が指で操作することにより、リング端部５２，５３の間隔を容易に拡げることができる材料で形成すればよいので、樹脂製に限定されるものではなく、弾性のある金属材料やその他の材料を用いて形成してもよい。
【００２１】
そして収容管２と固定管４との接合部に形成される二重の環状溝に対してリング部材５を環装する。尚、収容管２と固定管４を接合状態とする前に、リング部材５を第一の溝２ａ及び第二の溝４ａの一方に予め環装しておき、収容管２と固定管４を接合させる際に、一方側に環装されたリング部材５のリング端部５２，５３を上述のように拡げてリング径を大きくし、そのリング径の大きくなったリング部材５に対して他方の溝を環装するという手順で組み立て作業を行うと、極めて簡単な操作で二重の環状溝に対してリング部材５を環装できる。
【００２２】
収容管２と固定管４との接合部に形成される二重の環状溝にリング部材５が環装されると、固定管４は収容管２と接合した状態で固定される。その結果、図２に示す伸縮ユニオン１が構成され、収容管２及び固定管４の内部に逆止弁ユニット３が収容されて固定された状態となる。
【００２３】
そして図４に示す如く、伸縮ユニオン１の固定管４を止水栓１００の連結管内に向け、固定管４の先端部が止水栓１００の連結管内に設けられた周縁壁１０１に当接するまで押し込み、連結管外周側面に設けられた螺刻部１０２に対して連結金具１３を螺嵌することにより、伸縮ユニオン１を止水栓１００に取り付ける。このとき、図１に示す如く、固定管４の側面にはＯリング１１が設けられると共に、収容管２の側面にはＯリング１２が設けられており、これらのＯリング１１，１２が止水栓１００の内壁面に接触して管内を密閉するように構成されている。
【００２４】
そして摺動管１６を収容管２に対して摺動させることにより伸縮ユニオン１を伸縮させ、下流側配管と連結するのに適当な長さとし、下流側配管の外周側面に設けられた螺刻部に連結金具１８を螺嵌することにより、伸縮ユニオン１を下流側配管に連結する。尚、収容管２の端部には摺動管１６の内面と接するＯリング１７が設けられており、該Ｏリング１７が管内を密閉するように構成されている。また、摺動管１６にはビス１４とリング１５が設けられており、ビス１４は摺動管１６を固定すると共に、摺動管１６が収容管２から抜け出すことを防止する機能を有しており、リング１５は摺動管１６のがたつきを防止すると共に、管内への異物侵入を防止する機能を有している。但し、ビス１４及びリング１５は必ずしも双方を備えなければならないものではなく、いずれか一方のみを設けたものであってもよい。また、摺動管１６と収容管２との接続構造は、ここに示したものに限られず、他の構造を採用してもよい。
【００２５】
以上のようにして既設配管中に取り付けられた逆止弁ユニット３は、上記と逆の手順で作業を進めることにより、簡単に取り出すことができる。即ち、まず連結金具１３，１８を緩めた後、配管から伸縮ユニオン１を取り外す。このとき、固定管４はリング部材５によって収容管２に連結されているため、収容管２を止水栓１００から引き抜けば、固定管４及び収容管２がその内部に逆止弁ユニット３を収容した状態のままで一体的に取り出される。そしてリング部材５の端部５２，５３を指で拡げてリング径を大きくすることにより、リング部材５による固定管４と収容管２の係止状態を解除して、固定管４を収容管２から引き離す。すると、逆止弁ユニット３が固定管４と一体的に収容管２から引き出される。そして固定管４と逆止弁ユニット３を分離すれば、逆止弁ユニット３を破損することなく取り出すことができる。
【００２６】
以上のように本実施形態は、伸縮ユニオン１に対して逆止弁ユニット３を取り付ける際、又は伸縮ユニオン１から逆止弁ユニット３を取り外す際に、何ら工具を必要とせず、全て簡単な手作業で取り付けや取り外しを行うことができる。また、逆止弁ユニット３を取り外す際には、逆止弁ユニット３を破損することなく取り外しができるので、逆止弁ユニット３のメンテナンスを行った後、再び伸縮ユニオン１内に戻して使用することも可能である。
【００２７】
したがって、本実施形態は、配管に対して着脱可能な収容管２の内部に逆止弁ユニット３の一方側を収容すると共に、逆止弁ユニット３の他方側に固定管４を冠着して該固定管４を収容管２に当接させ、固定管４との接合部外周側面に形成される収容管２の第一の溝２ａと、収容管２との接合部外周側面に形成される固定管４の第二の溝４ａからなる二重の環状溝に対して樹脂製のＣ型リング部材５を環装することにより、固定管４及び収容管２を接合状態で固定するように構成されていることから、配管の途中に対して簡単な作業で逆止弁を取り付けることができると共に、メンテナンスや交換作業時には専用工具を用いることなく簡単に逆止弁の取り出しを行えるようになっている。
【００２８】
（変形例）
以上、本発明に関する実施形態について説明したが、本発明は上述のものに限定されるものではない。
【００２９】
例えば、上記説明では、給水配管途中に設けられる止水栓の伸縮ユニオンに対して逆止弁ユニットを設ける構造について述べたが、それに限定されるものではない。即ち、逆止弁ユニットを収容する収容管が配管に対して着脱可能なものであれば、それに対して上述の構成を適用することができる。例えば、単式逆止弁と呼ばれるものは配管継手の一種であって、継手本体の管状体内部に逆止弁ユニットを収容し、止水栓や伸縮ユニオンとは関係なく、単独で配管途中に取り付けられるが、このような配管継手における逆止弁の取付構造としても、上述した構成を適用することができる。この場合であっても、配管の途中に対して簡単な作業で逆止弁を取り付けることができると共に、メンテナンスや交換作業時には専用工具を用いることなく簡単に逆止弁の取り出しを行えるようになる。また、継手に対して上述の逆止弁取付構造を設けることにより、止水栓の設置位置に関係なく、逆止弁を取り付けることができるという利点がある。
【図面の簡単な説明】
【００３０】
【図１】本発明に係る逆止弁取付構造の構成態様を示す図である。
【図２】伸縮ユニオンの内部に逆止弁ユニットを収容して組み立てた状態を示す図である。
【図３】伸縮ユニオンを分解した状態を示す図である。
【図４】伸縮ユニオンを止水栓に取り付ける直前の状態若しくは伸縮ユニオンを止水栓から取り外した直後の状態を示す図である。
【図５】Ｃ型のリング部材を示す図である。
【符号の説明】
【００３１】
１ 伸縮ユニオン（伸縮管）
２ 収容管
２ａ 溝（第一の溝）
３ 逆止弁ユニット
４ 固定管
４ａ 溝（第二の溝）
５ リング部材
１００ 止水栓
【図１】
0004038802.tif 000002
【図２】
0004038802.tif 000003
【図３】
0004038802.tif 000004
【図４】
0004038802.tif 000005
【図５】
0004038802.tif 000006